(57)【要約】【課題】映像表示装置及び該映像表示装置に接続された一又は複数の電気機器全体における消費電力に関する情報を容易に知得することのできる映像表示装置を提供すること。【解決手段】テレビジョン受像機Ｘ（映像表示装置）における消費電力に関する自己消費電力情報と，録画再生装置Ｙ（電気機器）における消費電力に関する外部消費電力情報とを取得し（Ｓ２〜Ｓ６），前記自己消費電力情報及び前記外部消費電力情報に基づいて，前記テレビジョン受像機Ｘ及び前記録画再生装置Ｙ全体における消費電力に関する全体消費電力情報を生成して（Ｓ９），前記映像表示部に表示させる（Ｓ１０）ことを特徴とする映像表示装置として構成される。【選択図】図４
2008148140.tif 000002
【特許請求の範囲】
【請求項１】
当該映像表示装置における消費電力に関する自己消費電力情報を取得する自己消費電力取得手段と，映像を表示する映像表示手段と，を備えてなり，一又は複数の電気機器と所定の信号伝送手段を通じて通信を行う映像表示装置であって，
前記電気機器における消費電力に関する外部消費電力情報を取得する外部消費電力情報取得手段と，
前記自己消費電力情報及び前記外部消費電力情報に基づいて，当該映像表示装置及び前記電気機器全体における消費電力に関する全体消費電力情報を生成する全体消費電力情報生成手段と，
前記全体消費電力情報生成手段によって生成された全体消費電力情報を前記映像表示部に表示させる全体消費電力情報表示手段と，
を具備してなることを特徴とする映像表示装置。
【請求項２】
前記自己消費電力情報に，当該映像表示装置における現在の消費電力が含まれてなり，
前記外部消費電力情報に，前記電気機器における現在の消費電力が含まれてなり，
前記全体消費電力情報が，当該映像表示装置及び前記電気機器の各々における現在の消費電力及び／又は当該映像表示装置及び前記電気機器の各々における現在の消費電力の合計値を含んでなる請求項１に記載の映像表示装置。
【請求項３】
前記自己消費電力情報に，当該映像表示装置における任意の期間ごとの消費電力量の積算値が含まれてなり，
前記外部消費電力情報に，前記電気機器における任意の期間ごとの消費電力量の積算値が含まれてなり，
前記全体消費電力情報が，当該映像表示装置及び前記電気機器の各々における任意の期間ごとの消費電力量及び／又は当該映像表示装置及び前記電気機器の各々における任意の期間ごとの消費電力量の合計値を含んでなる請求項１又は２のいずれかに記載の映像表示装置。
【請求項４】
前記所定の信号伝送手段が，ＨＤＭＩ規格のＣＥＣ規格に準拠した方式で信号伝送を行うＣＥＣ信号伝送手段を含んでなり，
前記電気機器の電源の入り切りを前記ＣＥＣ信号伝送手段を通じて検知する電源入切検知手段と，前記電源入切検知手段による検知結果に基づいて前記電気機器の任意の期間ごとにおける電源の入り時間を算出する電源入時間算出手段と，を更に備えてなり，
前記外部消費電力情報取得手段が，前記ＣＥＣ信号伝送手段を通じて前記電気機器から該電気機器における単位時間あたりの消費電力量に関する単位時間消費電力情報を取得する単位時間消費電力情報取得手段と，前記電源入時間算出手段による算出結果及び前記単位時間消費電力情報に基づいて前記電気機器の任意の期間ごとにおける消費電力量の積算値を算出する外部消費電力算出手段と，を含んでなる請求項３に記載の映像表示装置。
【請求項５】
前記所定の信号伝送手段が，ＨＤＭＩ規格のＣＥＣ規格に準拠した方式で信号伝送を行うＣＥＣ信号伝送手段を含んでなり，
前記外部消費電力情報取得手段が，前記外部消費電力情報の送信を前記ＣＥＣ信号伝送手段を通じて前記電気機器に対して要求し，これに応じて返信される前記外部消費電力情報を取得してなる請求項１〜４のいずれかに記載の映像表示装置。
【請求項６】
前記映像表示装置及び前記電気機器の各々における現在の消費電力の合計値，或いは前記映像表示装置及び前記電気機器の各々における任意の期間ごとの消費電力量の合計値が，予め設定された上限値以上である場合に，前記映像表示部にアラームを表示させるアラーム表示手段を更に備えてなる請求項１〜５のいずれかに記載の映像表示装置。
【発明の詳細な説明】
【技術分野】
【０００１】
本発明は，映像を表示する映像表示装置に関し，特に，一又は複数の電気機器と所定の信号伝送手段を通じて通信を行う映像表示装置に関するものである。
【背景技術】
【０００２】
従来から，テレビジョン受像機（映像表示装置の一例）は，ハードディスクレコーダやＤＶＤレコーダ，セットトップボックスなどの電気機器に接続されて用いられる。一般に，前記テレビジョン受像機や前記電気機器などにおける基本的な消費電力は，それらの機器の背面などに貼付されたラベルや取扱説明書などに記載されている。
一方，特許文献１には，テレビジョン受像機における消費電力を測定して画面に表示することが提案されている。これにより，ユーザは前記テレビジョン受像機における実際の消費電力を容易に知得することができる。
【特許文献１】特開平０７−２１２６６６号公報
【発明の開示】
【発明が解決しようとする課題】
【０００３】
しかしながら，前記特許文献１では，テレビジョン受像機における消費電力だけが表示されるに過ぎず，該テレビジョン受像機に接続された外部の電気機器における消費電力を表示することはできない。そのため，ユーザは，前記テレビジョン受像機及び前記電気機器全体の消費電力を知るためには，前記ラベルや前記取扱説明書などを参照して，各々の機器の消費電力を合計する必要があり，容易に前記システム全体の消費電力を知ることができないという問題があった。また，前記テレビジョン受像機及び前記電気機器全体における一年，一ヶ月，一週間，一日などの任意の期間ごとにおける消費電力量の積算値などの履歴を把握することも困難であった。
従って，本発明は上記事情に鑑みてなされたものであり，その目的とするところは，映像表示装置及び該映像表示装置に接続された一又は複数の電気機器全体における消費電力に関する情報を容易に知得することのできる映像表示装置を提供することにある。
【課題を解決するための手段】
【０００４】
上記目的を達成するために本発明は，映像を表示する映像表示手段を備えてなり，一又は複数の電気機器と所定の信号伝送手段を通じて通信を行う映像表示装置に適用されるものであって，当該映像表示装置における消費電力に関する自己消費電力情報と前記電気機器における消費電力に関する外部消費電力情報とを取得し，前記自己消費電力情報及び前記外部消費電力情報に基づいて，当該映像表示装置及び前記電気機器全体における消費電力に関する全体消費電力情報を生成して前記映像表示部に表示させることを特徴とする映像表示装置として構成される。
このように構成された前記映像表示装置では，ユーザは，前記映像表示部に表示された前記全体消費電力情報を参照することにより，前記映像表示装置及び前記電気機器全体における消費電力についての各種の情報を容易に知得することができる。また，このようにユーザが前記映像表示装置及び前記電気機器全体における消費電力を容易に参照することのできる構成により，ユーザに対して省電力を意識させることができる。
【０００５】
具体的には，前記自己消費電力情報に，当該映像表示装置における現在の消費電力が含まれ，前記外部消費電力情報に，前記電気機器における現在の消費電力が含まれることが考えられる。この場合，前記全体消費電力情報には，当該映像表示装置及び前記電気機器の各々における現在の消費電力や，当該映像表示装置及び前記電気機器の各々における現在の消費電力の合計値が含まれることが考えられる。これにより，ユーザは，前記映像表示装置に表示された前記全体消費電力情報を参照することにより，現在の前記映像表示装置及び前記電気機器全体における消費電力を容易に把握することができる。
また，前記自己消費電力情報に，当該映像表示装置における任意の期間ごとの消費電力量の積算値が含まれ，前記外部消費電力情報に，前記電気機器における任意の期間ごとの消費電力量の積算値が含まれることも考えられる。この場合，前記全体消費電力情報には，当該映像表示装置及び前記電気機器の各々における任意の期間ごとの消費電力量や，当該映像表示装置及び前記電気機器の各々における任意の期間ごとの消費電力量の合計値が含まれることが考えられる。これにより，ユーザは，前記映像表示装置に表示された前記全体消費電力情報を参照することにより，前記映像表示装置及び前記電気機器全体における消費電力量についての履歴を容易に把握することができる。
【０００６】
ここで，前記電気機器における任意の期間ごとの消費電力量の積算値を取得するための手法の一例を説明する。
まず，前記所定の信号伝送手段が，ＨＤＭＩ規格のＣＥＣ規格に準拠した方式で信号伝送を行うＣＥＣ信号伝送手段を含んでなる構成では，前記電気機器の電源の入り切りを前記ＣＥＣ信号伝送手段を通じて検知する電源入切検知手段を具現することが可能である。これにより，前記電源入切検知手段による検知結果に基づいて前記電気機器の任意の期間ごとにおける電源の入り時間を算出する電源入時間算出手段を具現することも可能である。
そこで，前記ＣＥＣ信号伝送手段を通じて前記電気機器から該電気機器における単位時間あたりの消費電力量に関する単位時間消費電力情報を取得すれば，前記電源入時間算出手段による算出結果及び前記単位時間消費電力情報に基づいて前記電気機器の任意の期間ごとにおける消費電力量の積算値を算出することができる。
一方，前記電気機器が，該電気機器の動作モード等を考慮した正確な消費電力を把握することができるように構成されている場合には，前記外部消費電力情報の送信を前記ＣＥＣ信号伝送手段を通じて前記電気機器に対して要求することが考えられる。これにより，前記要求に応じて返信される前記外部消費電力情報を取得することができる。この場合には，前記外部消費電力情報に基づいてより正確な前記全体消費電力情報が生成されて前記映像表示部に表示される。
【０００７】
さらに，前記映像表示装置及び前記電気機器の各々における現在の消費電力の合計値，或いは前記映像表示装置及び前記電気機器の各々における任意の期間ごとの消費電力量の合計値が，予め設定された上限値以上である場合に，前記映像表示部にアラームを表示させることが考えられる。
これにより，例えば，前記映像表示装置及び前記電気機器全体における消費電力が，これらに電源を供給する商用交流電源の最大許容容量（上限値）を超えないように管理することが容易となる。また，前記映像表示装置や前記電気機器の使用量が多い特定の期間などを容易に把握することができる。
【発明の効果】
【０００８】
本発明によれば，ユーザは，前記映像表示部に表示された前記全体消費電力情報を参照することにより，前記映像表示装置及び前記電気機器全体における消費電力についての各種の情報を容易に知得することができる。また，このようにユーザが前記映像表示装置及び前記電気機器全体における消費電力を容易に参照することのできる構成により，ユーザに対して省電力を意識させることができる。
具体的には，当該映像表示装置及び前記電気機器の各々における現在の消費電力や，当該映像表示装置及び前記電気機器の各々における現在の消費電力の合計値，当該映像表示装置及び前記電気機器の各々における任意の期間ごとの消費電力，当該映像表示装置及び前記電気機器の各々における任意の期間ごとの消費電力の合計値などを容易に把握することができる。
【発明を実施するための最良の形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係るテレビジョン受像機Ｘを含む録画システムＺのブロック図，図２は消費電力対応情報の一例を示す図，図３は自己動作履歴情報の一例を示す図，図４は前記テレビジョン受像機Ｘにおいて実行される消費電力表示処理の手順の一例を説明するフローチャート，図５は前記消費電力表示処理による表示例を示す図である。
まず，図１に示すブロック図を用いて，本発明の実施形態に係るテレビジョン受像機Ｘを含む録画システムＺの構成について説明する。
図１に示すように，本発明の実施形態に係る録画システムＺは，映像を表示する映像表示部５を備えるテレビジョン受像機Ｘ（映像表示装置の一例）と，録画・再生機能を備える複数（図１では２台）の録画再生装置Ｙ（Ｙ１，Ｙ２；電気機器の一例）とが，ＨＤＭＩ規格に準拠した信号伝送手段であるＨＤＭＩインターフェースＷによって通信接続されたシステムである。
本発明の実施形態に係る前記テレビジョン受像機Ｘは，該テレビジョン受像機Ｘ及び前記録画再生装置Ｙを含む前記録画システムＺ全体における消費電力に関する情報を前記映像表示部５に表示させることができる点に特長を有している。この点については後段で詳述する。
【００１０】
ここで，前記ＨＤＭＩインターフェースＷは，映像信号及び音声信号（いずれもデジタル信号）を伝送するＴＭＤＳライン４１と，ＨＤＭＩ規格のオプション規格であるＣＥＣ規格に準拠したＣＥＣライン４２（ＣＥＣ信号伝送ラインに相当）を含んでいる。なお，前記ＴＭＤＳライン４１は，複数本の信号ラインにより構成され，前記ＴＭＤＳライン４１及び前記ＣＥＣライン４２は，見かけ上１本のＨＤＭＩケーブル４０として構成されている。このＨＤＭＩインターフェースＷは，シンプルな配線と劣化のない信号伝送とを実現できる。また，前記ＨＤＭＩインターフェースＷは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
また，前記ＨＤＭＩインターフェースＷは，前記ＴＭＤＳライン４１を通じた映像信号及び音声信号の伝送に加え，前記ＣＥＣライン４２を通じて後述する外部消費電力情報やその他の情報（制御情報など）を伝送することが可能である。なお，前記ＨＤＭＩインターフェースＷは，前記ＴＭＤＳライン４１を通じた映像信号及び音声信号の伝送は一方向にのみ可能であるが，前記ＣＥＣライン４２を通じた情報伝送は双方向で可能である。
【００１１】
［テレビジョン受像機Ｘ］
本発明の実施形態に係るテレビジョン受像機Ｘは，図１に示すように，チューナ１，２つのＨＤＭＩ受信部（図中，ＨＤＭＩ−ＲＸと表記）２ｘａ，２ｙａ，ＣＥＣインターフェース（図中，ＣＥＣ−ＩＦと表記）２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。
前記チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
【００１２】
図１に示す例では，前記テレビジョン受像機Ｘは，２台の前記録画再生装置Ｙそれぞれに対応する２つの前記ＨＤＭＩ受信部２ｘａ，２ｙａを備えている。また，前記ＣＥＣインターフェース２ｘｂは，２台の前記録画再生装置Ｙに対して１つだけ設けられている。
前記ＨＤＭＩ受信部２ｘａ，２ｙａは，ＨＤＭＩ規格に準拠した信号伝送インターフェースである。このＨＤＭＩ受信部２ｘａ，２ｙａは，前記ＴＭＤＳライン４１を通じて，外部装置（ここでは，録画再生装置Ｙ）からベースバンド方式で映像信号及び音声信号を入力し，それらを前記映像切替回路３及び前記音声切替回路１０各々へ伝送する。
前記ＣＥＣインターフェース２ｘｂは，ＨＤＭＩ規格におけるＣＥＣ規格に準拠した方式で信号伝送を行う信号伝送インターフェース（ＣＥＣ信号伝送手段に相当）である。このＣＥＣインターフェース２ｘｂは，前記ＣＥＣライン４２を通じて，外部装置（ここでは，録画再生装置Ｙ）との間で情報の送受信を行う。前記ＣＥＣインターフェース２ｘｂの受信情報の直接の伝送先及び送信情報の直接の供給元は，前記サブＭＰＵ９である。
【００１３】
前記映像切替回路３は，前記チューナ１及び前記ＨＤＭＩ受信部２ｘａ，２ｙａからの映像信号を入力し，それらの映像信号のうちの任意の１つの映像信号を前記制御回路６からの指示に従って選択して出力するものである。
前記映像処理回路４は，前記映像切替回路３から出力された映像信号に対して各種信号処理を行うものである。例えば，前記映像処理回路４は，前記映像切替回路３からの映像信号に，前記制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，前記映像処理回路４から出力される映像信号に基づく映像を表示するものである。
【００１４】
前記音声切替回路１０は，前記チューナ１からの音声信号及び前記ＨＤＭＩ受信部２ｘａ，２ｙａからの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。
【００１５】
前記リモコン８は，当該テレビジョン受像機Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８から前記テレビジョン受像機Ｘ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
前記サブＭＰＵ９は，前記制御回路６と，前記リモコンインターフェース回路７及び前記ＣＥＣインターフェース２ｘｂとの間で情報伝送を中継する処理を実行するマイクロコンピュータである。
また，前記サブＭＰＵ９は，前記ＣＥＣインターフェース２ｘｂを介して接続された前記録画再生装置Ｙの電源の入切状態を，該ＣＥＣインターフェース２ｘｂを通じて検知する電源入切検知機能を有している。ここに，かかる電源入切検知機能を具現するときの前記サブＭＰＵ９が電源入切検知手段に相当する。なお，前記サブＭＰＵ９の前記電源入切検知機能による検知結果は，前記制御回路６に入力される。
【００１６】
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記憶されたプログラムを実行することによって実現される。
また，前記ＲＯＭ６ｂには，前記テレビジョン受像機Ｘの動作状態に応じた消費電力に関する消費電力対応情報が予め記憶されている。この消費電力対応情報は，例えば前記テレビジョン受像機Ｘの製造時などに予め測定された結果に基づいて設定されたものである。
【００１７】
ここに，図２は，前記消費電力対応情報の具体例を示すものである。図２に示すように，前記消費電力対応情報には，（ａ）基本動作電力，（ｂ）映像調整（明るさ）の設定値に対応する消費電力の増減値，（ｃ）音声出力（音量）の設定値に対応する消費電力の増減値，（ｄ）排気ファンの動作の有無に対応する消費電力の増減値に関する情報が含まれている。なお，前記排気ファンは，前記テレビジョン受像機Ｘの放熱・冷却のために動作するものであって，前記制御回路６によって，内部温度や稼働時間などに応じて自動的に入り切りされる。
【００１８】
前記制御回路６は，前記ＲＯＭ６ｂに記憶された前記消費電力対応情報に基づいて前記テレビジョン受像機Ｘにおける現在の消費電力を算出する自己消費電力算出機能と，前記テレビジョン受像機Ｘにおける任意の期間における消費電力量の積算値を算出する自己消費電力量積算機能と，前記サブＭＰＵ２８から入力される前記録画再生装置Ｙの電源入切状態の検知結果を履歴として前記ＥＥＰＲＯＭ６ｃに記憶する電源入切状態履歴管理機能と，を有している。ここに，前記自己消費電力算出機能によって算出される現在の消費電力や，前記自己消費電力量積算機能によって算出される任意の期間における消費電力量の積算値などの情報が，前記テレビジョン受像機Ｘにおける消費電力に関する自己消費電力情報の一例である。また，前記自己消費電力算出機能及び前記自己消費電力量積算機能を具現するときの前記制御回路６が自己消費電力取得手段に相当する。
【００１９】
ここで，図３を用いて，前記制御回路６の前記自己消費電力算出機能及び前記自己消費電力量積算機能について説明する。
前記自己消費電力算出機能は，前記テレビジョン受像機Ｘの現在の動作状態と前記消費電力対応情報（図２参照）とに基づいて，該テレビジョン受像機Ｘにおける現在の消費電力を算出する。
具体的に，図３に一点差線で示す時点Ｐ１では，前記テレビジョン受像機Ｘの動作状態は，前記映像調整（明るさ）が１ステップダウン，前記音声出力（音量）が２ステップアップ，前記排気ファンの動作が有りの状態である。この場合，前記制御回路６の前記自己消費電力算出機能によれば，前記テレビジョン受像機Ｘにおける時点Ｐ１の消費電力として，前記基本動作電力の１００Ｗ（図２（ａ）参照）に，前記映像調整（明るさ）の１ステップダウンによる−３Ｗ（図２（ｂ）参照），前記音声出力（音量）の２ステップアップによる＋６Ｗ（図２（ｃ）参照），前記排気ファンが動作することによる＋３Ｗ（図２（ｄ）参照）を合計した消費電力，即ち１０６Ｗ（図２（ｅ）参照）が算出される。
なお，ここでは，前記自己消費電力算出機能によって，予め設定された前記消費電力対応情報に基づいて消費電力が算出される場合について説明したが，例えば，前記テレビジョン受像機Ｘの現在の消費電力を測定する電力計などを設けておくことも他の実施例として考えられる。この場合，前記制御回路６は，前記電力計から現在の消費電力を取得する。
【００２０】
一方，前記制御回路６の前記自己消費電力量積算機能は，前記テレビジョン受像機Ｘの動作履歴を管理しており，具体的には，前記テレビジョン受像機Ｘが，いつ，どのような動作状態で何時間動作したか等に関する自己動作履歴情報を前記ＥＥＰＲＯＭ６ｃに記憶する。そして，任意の期間が指定されると，前記自己動作履歴情報に基づいてその期間内における消費電力量の積算値を算出する。
具体的に，図３に示すような１０月１日１０：００〜２０：００までの動作に関する自己動作履歴情報が前記ＥＥＰＲＯＭ６ｃに記憶されている場合に，１０月１日１０時から１４時の期間における前記テレビジョン受像機Ｘにおける消費電力量の積算値を算出する場合の処理を例示する。
まず，１０時から１２時までの動作状態に応じた消費電力が前記自己消費電力算出機能によって算出される。ここでは，前記自己消費電力算出機能によって９４Ｗが算出される。そして，その消費電力９４Ｗに，その状態で動作した時間である２時間を乗ずることで，１０時から１２時までの期間における消費電力量１８８Ｗｈが算出される。同様に，１２時から１４時についても，動作状態に応じた消費電力である１０６Ｗが算出され，その状態で動作した時間である２時間を乗ずることでその期間における消費電力量２１２Ｗｈが算出される。その後，これらの消費電力量を合算することで，１０時から１４時までの消費電力量の積算値４００Ｗｈが算出される。
なお，ここでは，説明の便宜上，時間単位の期間における消費電力の積算値の算出例を例に挙げたが，日単位や週間単位，月間単位，年間単位など，各種の任意の期間における消費電力量の積算値も同様の手法によって算出することができる。
【００２１】
さらに，前記テレビジョン受像機Ｘの前記制御回路６は，後述の消費電力表示処理（図４のフローチャート参照）を実行することにより，当該テレビジョン受像機Ｘ及び前記録画再生装置Ｙ全体（録画システムＺ全体）における消費電力に関する全体消費電力情報を生成して前記映像表示部５に表示する。
具体的に，前記全体消費電力情報は，前記テレビジョン受像機Ｘ及び前記録画再生装置Ｙの各々における現在の消費電力や，その現在の消費電力の合計値，前記テレビジョン受像機Ｘ及び前記録画再生装置Ｙの各々における任意の期間ごとの消費電力量や，その消費電力量の合計値などである。このような前記全体消費電力情報を生成して表示させるときの前記制御回路６が，全体消費電力情報生成手段及び全体消費電力情報表示手段に相当する。なお，前記消費電力表示処理については後段で図４を用いて説明する。
【００２２】
［録画再生装置Ｙ］
本発明の実施形態に係る録画再生装置Ｙは，図１に示すように，チューナ２１，録画・再生回路２２，ＨＤＤ２３（ハードディスクドライブ），制御回路２４，ＨＤＭＩ送信部２５ａ（図中，ＨＤＭＩ−ＴＸと表記），ＣＥＣインターフェース２５ｂ（図中，ＣＥＣ−ＩＦと表記），リモコンインターフェース回路２６，リモコン２７及びサブＭＰＵ２８等を具備して構成された所謂ハードディスクレコーダである。なお，前記録画再生装置Ｙは，電気機器の一例に過ぎず，他に，ＤＶＤレコーダやＤ−ＶＨＳレコーダ，ビデオカメラ，その他の電化製品なども電気機器に該当する。
ここで，前記チューナ２１，前記リモコンインターフェース回路２６，前記リモコン２７，前記サブＭＰＵ２８は，それぞれ前記テレビジョン受像機Ｘにおける前記チューナ１，前記リモコンインターフェース回路７，前記リモコン８及び前記サブＭＰＵ９と同様のものである。
【００２３】
前記録画・再生回路２２は，放送番組の録画処理及び録画番組の再生処理を実行するものである。即ち，前記録画・再生回路２２は，前記チューナ２１により抽出された番組の放送信号（映像信号及び音声信号）を圧縮符号化して前記ＨＤＤ２３に記録する録画処理を実行する。さらに，前記録画・再生回路２２は，前記ＨＤＤ２３に録画（記録）された放送番組のデータを復号化しながら前記ＨＤＭＩ送信部２５ａを通じて外部出力する再生処理を実行する。
さらに，前記録画・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。このＥＰＧ情報は，録画予約処理の際の予約番組の選択メニュー画面を生成する処理や，録画された番組（録画番組）の映像信号及び音声信号に関連付けて前記ＨＤＤ２３に記録される番組のタイトルや放送日時，チャンネル等を特定する処理を実行する際に用いられる。
【００２４】
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，前記ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂは，テレビジョン受像機Ｘにおける前記ＣＥＣインターフェース２ｘｂと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ）との間で情報の送受信を行う。前記ＣＥＣインターフェース２５ｂの受信情報の直接の伝送先及び送信情報の直接の供給元は，前記サブＭＰＵ２８である。
【００２５】
また，前記録画再生装置Ｙにおいて，前記ＨＤＭＩインターフェースＷの一部を構成する前記ＨＤＭＩ送信部２５ａ及び前記ＣＥＣインターフェース２５ｂと，前記サブＭＰＵ２８と，前記リモコンインターフェース回路２６とは，当該録画再生装置Ｙが商用電源に接続されている状態では，常時通電された状態となっている。一方，前記チューナ２１や前記制御回路２４，前記録画・再生回路２２及び前記ＨＤＤ２３等は，当該録画再生装置Ｙが商用電源に接続されている状態において，それらへの通電がなされた稼動状態（電源の立ち上がり状態）と，それらへの通電が遮断された前記待機状態（電源の立ち下がり状態）との２状態に切り替えられる。その２状態の切り替えは，前記サブＭＰＵ２８が不図示の通電スイッチの切り替え制御を行うことにより実現される。
即ち，前記サブＭＰＵ２８は，当該録画再生装置Ｙが前記待機状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて自装置宛の何らかのコマンドが受信されたことを検知すると，前記通電スイッチをＯＦＦ状態からＯＮ状態へ切り替えることにより，当該録画再生装置Ｙを前記待機状態から前記稼動状態へ切り替える（即ち，電源が立ち上げられる）。
また，前記サブＭＰＵ２８は，当該録画再生装置Ｙが前記稼動状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて停止コマンドが受信されたことを検知すると，前記通電スイッチをＯＮ状態からＯＦＦ状態へ切り替えることにより，当該録画再生装置Ｙを前記稼動状態から前記待機状態へ切り替える（即ち，電源が立ち下げられる）。
【００２６】
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。
また，前記ＲＯＭ２４ｂには，前記録画再生装置Ｙの消費電力に関する情報（以下「外部消費電力情報」という）が記憶されている。前記外部消費電力情報には，前記録画再生装置Ｙの基本的な消費電力に関する情報や，単位時間あたりの消費電力量に関する情報（以下「単位時間消費電力情報」という）が含まれている。ここでは，前記録画再生装置Ｙの基本的な消費電力が１００Ｗであって，単位時間当たりの消費電力量が１００Ｗｈであるとする。なお，本実施の形態では，前記録画再生装置Ｙが稼働している場合，前記基本的な消費電力を該録画再生装置Ｙの現在の消費電力として捉える。
そして，前記制御回路２４は，外部機器（ここではテレビジョン受像機Ｘ）から前記ＣＥＣライン４２を通じて前記外部消費電力情報の送信が要求された場合に，前記外部消費電力情報を前記外部機器に送信する。なお，前記要求は，前記テレビジョン受像機Ｘと前記録画再生装置Ｙとの間で予めＣＥＣ規格の通信プロトコルに準拠した形式で設定されたベンダーコードの送受信によって実現される。
【００２７】
以下，図４に示すフローチャートを参照しつつ，前記テレビジョン受像機Ｘにおいて実行される消費電力表示処理の手順の一例について説明する。なお，以下に示すＳ１，Ｓ２，…は，処理手順（ステップ）の識別符号を表す。
［ステップＳ１］
まず，ステップＳ１では，前記制御回路６によって，前記リモコン８等に消費電力に関する情報の表示要求，具体的には後述する全体消費電力情報を前記映像表示部５に表示させるための操作入力が行われたか否かが判断される。なお，前記操作入力は，例えば前記テレビジョン受像機Ｘにおけるメニュー画面に従って行われる。
ここで，前記表示要求が行われていないと判断されている間は当該ステップＳ１の判断処理が繰り返し実行され，前記表示要求が行われたと判断されると，処理はステップＳ２に移行する。
なお，本実施の形態では，前記表示要求が行われた場合に，以下の処理が実行されるが，例えば，前記テレビジョン受像機Ｘの電源投入されたときに自動的に，以下の処理が実行されることが他の実施例として考えられる。また，前記テレビジョン受像機Ｘが稼働している状態で，前記録画再生装置Ｙの電源が入れられた場合や切られた場合など，該テレビジョン受像機Ｘを含む前記録画システムＺにおける全体の消費電力が変化する場合に，自動的に以下の処理が実行されることも他の実施例として考えられる。
【００２８】
［ステップＳ２，Ｓ３］
ステップＳ２では，前記制御回路６の前記自己消費電力算出機能によって前記テレビジョン受像機Ｘにおける現在の消費電力が算出される。なお，前述したように，前記テレビジョン受像機Ｘにおける現在の消費電力を電力計などによって計測することも他の実施例として考えられる。
次に，ステップＳ３では，前記制御回路６の前記自己消費電力量積算機能によって前記テレビジョン受像機Ｘにおける１ヶ月ごとの消費電力量の積算値が算出される。具体的には，前記制御回路６の前記なお，ここでは，予め１ヶ月ごとの消費電力量の積算値を表示するように設定されている場合を例に挙げて説明するが，時間単位や日単位，週単位，年単位ごと等，任意の期間を設定することができる。この設定は，例えば前記テレビジョン受像機Ｘにおける初期設定時や，当該消費電力表示処理の実行中に行えばよい。具体的には，前記リモコン８への操作入力に応じて前記制御回路６によって設定される。
また，本実施の形態では，前記ステップＳ２において，前記自己消費電力算出機能によって，前記テレビジョン受像機Ｘにおける現在の消費電力が，該テレビジョン受像機Ｘの動作状態に応じて正確に算出される場合を例に挙げて説明するが，単に前記テレビジョン受像機Ｘの基本的な消費電力を固定的に用いることも他の実施例として考えられる。この場合には，前記ステップＳ３では，前記自己消費電力量積算機能によって，単に任意の期間における使用時間と基本的な消費電力との積によってその期間の消費電力量の積算値が算出される。
【００２９】
［ステップＳ４］
そして，ステップＳ４では，前記制御回路６によって，前記録画再生装置Ｙから前記外部消費電力情報が取得される。具体的には，前記制御回路６によって，前記ＣＥＣインターフェース２ｘｂ，前記ＣＥＣライン４２を通じて前記録画再生装置Ｙに対して前記外部消費電力情報の返信を要求するためのコマンドが送信される。ここに，前記外部消費電力情報には，前記録画再生装置Ｙの基本的な消費電力や，前記単位時間消費電力情報が含まれている。
このとき，前記録画再生装置Ｙの電源が切られている待機状態である場合には，前述したように，前記録画再生装置Ｙは前記コマンドの受信によって稼働状態に切り替えられた後，前記外部消費電力情報を返信する。なお，この場合には，前記外部消費電力情報の返信終了後，前記録画再生装置Ｙは前記待機状態に戻る。
これにより，前記制御回路６は，前記録画再生装置Ｙから返信された前記外部消費電力情報を取得する。ここに，前記外部消費電力情報及び前記単位時間消費電力情報を取得するための処理を実行するときの前記制御回路６が外部消費電力情報取得手段及び単位時間消費電力情報取得手段に相当する。
なお，前記外部消費電力情報は，前記録画再生装置Ｙから取得されるものに限られない。例えば，複数の機種に対応する外部消費電力情報がＲＯＭ６ｂやその他の記憶手段に記憶されている場合には，前記制御回路６は，前記録画再生装置Ｙに対応する外部消費電力情報を，そのＲＯＭ６ｂやその他の記憶手段から抽出することによって取得する。或いは，前記録画再生装置Ｙから定期的に前記テレビジョン受像機Ｘに対して能動的に送信されることも他の実施例として考えられる。
【００３０】
［ステップＳ５，Ｓ６］
次に，ステップＳ５では，前記制御回路６によって，前記録画再生装置Ｙにおける１ヶ月ごとの電源の入り時間が算出される。具体的には，前記制御回路６の前記電源入切状態履歴管理機能によって前記ＥＥＰＲＯＭ６ｃに記憶された前記録画再生装置Ｙの電源の入り切りの検知結果に基づいて該録画再生装置Ｙにおける１ヶ月ごとの電源の入り時間が算出される。ここに，かかる算出処理を実行するときの前記制御回路６が電源入時間算出手段に相当する。
その後，ステップＳ６では，前記制御回路６によって，前記ステップＳ４で取得された前記外部消費電力情報に含まれた前記単位時間消費電力情報と，前記ステップＳ５で取得された前記録画再生装置Ｙにおける１ヶ月ごとの電源の入り時間とに基づいて，該録画再生装置Ｙにおける１ヶ月ごとの消費電力量の積算値が算出される。
【００３１】
［ステップＳ７，Ｓ８］
ステップＳ７では，前記制御回路６によって，前記テレビジョン受像機Ｘ及び前記録画再生装置Ｙ全体における現在の消費電力が算出される。具体的には，前記テレビジョン受像機Ｘ及び前記録画再生装置Ｙの各々における消費電力の合計値が算出される。
一方，ステップＳ８では，前記制御回路６によって，前記テレビジョン受像機Ｘ及び前記録画再生装置Ｙ全体（録画システムＺ全体）における１ヶ月ごとの消費電力量の積算値が算出される。具体的には，前記テレビジョン受像機Ｘ及び前記録画再生装置Ｙの各々における１ヶ月ごとの消費電力量の合計値が算出される。
【００３２】
［ステップＳ９］
そして，ステップＳ９では，前記制御回路６によって，前記ステップＳ２〜Ｓ８で得られた各種の情報に基づいて，前記テレビジョン受像機Ｘ及び前記録画再生装置Ｙ全体における消費電力に関する全体消費電力情報が生成される。具体的に，前記全体消費電力情報は，前記テレビジョン受像機Ｘ及び前記録画再生装置Ｙの各々における現在の消費電力や１ヶ月ごとの消費電力量の積算値，前記テレビジョン受像機Ｘ及び前記録画再生装置Ｙ全体における現在の消費電力や１ヶ月ごとの消費電力量の積算値などの情報を含むものである。ここに，かかる全体消費電力情報を生成するときの前記制御回路６が全体消費電力情報生成手段に相当する。
このとき，前記録画再生装置Ｙが稼働していない場合，即ち待機状態である場合には，該録画再生装置Ｙの現在の消費電力は，前記外部消費電力情報に含まれる前記基本的な消費電力よりも限りなく小さくなっている。そこで，前記テレビジョン受像機Ｘの前記制御回路６が有する前記電源入切検知機能によって，前記録画再生装置Ｙの電源が切られていることが検知されている場合には，その録画再生装置Ｙの消費電力を０として扱うことが考えられる。若しくは，前記外部消費電力情報に，待機時の消費電力をも含めておくことにより，前記制御回路６の前記電源入切検知機能による検知結果に応じて前記録画再生装置Ｙの現在の消費電力を切り替えて採用してもよい。
【００３３】
［ステップＳ１０］
その後，ステップＳ１０では，前記制御回路６によって前記全体消費電力情報が前記映像処理回路４に出力されることにより，該映像処理回路４のＯＳＤ機能によって前記全体消費電力情報の映像が前記映像表示部５にＯＳＤ表示される。ここに，かかる全体消費電力情報を表示させるときの前記制御回路６が全体消費電力情報表示手段に相当する。
ここで，図５は，前記全体消費電力情報の表示例を示している。図５に示すように，前記全体消費電力情報には，前記テレビジョン受像機Ｘ及び前記録画再生装置Ｙ各々における現在の消費電力，全体における現在の消費電力，前記テレビジョン受像機Ｘ及び前記録画再生装置Ｙ各々における１ヶ月ごとの３ヶ月分の消費電力量の積算値，全体における１ヶ月ごとの３ヶ月分の消費電力の積算値が表示されている。
なお，図５に示す前記全体消費電力情報では，３ヶ月分の前記消費電力量の積算値を表示しているが，これに限られない。例えば，１ヶ月分だけであってもよいし，更に多くの月の情報をスクロール表示可能とすることも考えられる。また，月ごとではなく，日単位や週単位，年単位などの表示に切り替え可能とすることが望ましい。
また，例えば１Ｗｈあたりの消費電力量に対応する電気料金に関する電気料金情報を予め設定しておき，前記消費電力量の積算値とその電気料金情報とに基づいて，該消費電力量に対応する電気料金の概算値を同時に表示させることも他の実施例として考えられる。なお，前記電気料金は，地方によって異なるため，前記電気料金情報は，前記テレビジョン受像機Ｘの初期設定や前記消費電力設定処理の実行中などに変更可能であることが望ましい。
【００３４】
以上，説明したように，前記テレビジョン受像機Ｘでは，該テレビジョン受像機Ｘ及び前記録画再生装置の各々における現在の消費電力や，それらの合計値（録画システムＺ全体における現在の消費電力），前記テレビジョン受像機Ｘ及び前記録画再生装置の各々における任意の期間ごとの消費電力量の積算値や，それらの合計値（録画システムＺ全体における任意の期間ごとの消費電力量の積算値）を前記映像表示部５に表示させることができるため，ユーザは，それらの情報を前記映像表示部５を見ることにより容易に知得することができる。
【実施例１】
【００３５】
前記実施の形態では，前記録画再生装置Ｙにおける消費電力を固定的な値とし，前記テレビジョン受像機Ｘ側において前記録画再生装置Ｙにおける任意の期間の消費電力量を算出する構成について説明した。
一方，前記録画再生装置Ｙにおいて該録画再生装置Ｙの現在の消費電力や任意の期間の消費電力が算出されることも考えられる。即ち，前記テレビジョン受像機Ｘが有する前記自己消費電力算出機能や前記自己消費電力量積算機能と同様の機能が，前記録画再生装置Ｙに設けられている場合が考えられる。なお，前記録画再生装置Ｙに現在の消費電力を測定する電力計が設けられることも考えられる。このような機能を有する前記録画再生装置Ｙにおいて算出された現在の消費電力や，任意の期間における消費電力量の積算値は正確なものである。
そこで，このように前記録画再生装置Ｙが構成されている場合には，前記録画再生装置Ｙから，該録画再生装置Ｙの現在の消費電力や任意の期間における消費電力量の積算値を取得することが考えられる。この場合には，前記テレビジョン受像機Ｘにおいて，前記録画再生装置Ｙの電源の入り切りの履歴を管理することや，前記消費電力表示処理（図４のフローチャート参照）における前記ステップＳ４〜Ｓ６を実行する必要はない。
【００３６】
具体的には，前記テレビジョン受像機Ｘの前記制御回路６は，前記消費電力表示処理（図４のフローチャート参照）において，前記ステップＳ４〜Ｓ６に換えて，前記録画再生装置Ｙに対して，前記録画再生装置Ｙの現在の消費電力及び該録画再生装置Ｙにおける任意の期間の消費電力量の積算値を前記外部消費電力情報として送信することを，前記ＣＥＣインターフェース２ｘｂ，前記ＣＥＣライン４２を通じて要求するための処理を実行する。この要求は，前記テレビジョン受像機Ｘと前記録画再生装置Ｙとの間で予めＣＥＣ規格の通信プロトコルに準拠した形式で設定されたベンダーコードの送受信によって実現される。
これにより，前記録画再生装置Ｙから前記テレビジョン受像機Ｘに，前記録画再生装置Ｙの現在の消費電力及び該録画再生装置Ｙにおける任意の期間の消費電力量の積算値を含む外部消費電力情報が送信される。このように前記外部消費電力情報を取得するときの前記制御回路６が外部消費電力情報取得手段の一例である。
そして，前記テレビジョン受像機Ｘでは，該外部消費電力情報に基づいて前記ステップＳ７以後の処理が実行される。これにより，ユーザは，前記映像表示部５に表示される前記全体消費電力情報を見ることで，正確な現在の消費電力や消費電力量の積算値を確認することができる。
【実施例２】
【００３７】
また，前記全体消費電力情報を表示する際に，前記テレビジョン受像機Ｘ及び前記録画再生装置Ｙの各々における現在の消費電力の合計値，或いは任意の期間ごとの消費電力量の合計値が，予め設定された上限値以上であるか否かを判断し，上限値以上である場合には，アラーム表示を行うことが考えられる。ここに，かかるアラーム表示処理は，前記制御回路６によって実行され，該制御回路６がアラーム表示手段に相当する。具体的には，前記上限値以上である場合には，その消費電力量の表示を他の文字とは異なる色（赤など）で表示させることや点滅表示させることなどが考えられる。
このような構成では，例えば，前記テレビジョン受像機Ｘ及び前記録画再生装置Ｙ全体の消費電力の上限値を，これらの電源を供給する商用交流電源の最大許容容量の５００Ｗよりも少し低い４５０Ｗに設定しておくことにより，前記商用交流電源の最大許容容量を超えないように管理することが容易となる。
また，例えば１ヶ月あたりの消費電力量の上限値を２００００Ｗｈに設定しておけば，これを超えるている場合に行われるアラーム表示によって，その１ヶ月に前記テレビジョン受像機Ｘや前記録画再生装置Ｙの使用時間が長すぎたことを容易に確認することができる。
【００３８】
また，前記全体消費電力情報を表示する際ではなく，前記テレビジョン受像機Ｘにおいて前記制御回路６がバックグラウンドで前記録画システムＺ全体における現在の消費電力が，前記上限値を超えたか否かを判断するための処理を実行し，超えたと判断された場合に，前記映像表示部５にその旨をアラーム表示することも考えられる。これにより，前記録画システムＺ全体における現在の消費電力が，前記上限値を超過することを未然に防止することができる。
【図面の簡単な説明】
【００３９】
【図１】本発明の実施形態に係るテレビジョン受像機Ｘを含む録画システムＺのブロック図。
【図２】消費電力対応情報の一例を示す図。
【図３】自己動作履歴情報の一例を示す図。
【図４】本発明の実施形態に係るテレビジョン受像機Ｘにおいて実行される消費電力表示処理の手順の一例を説明するフローチャート。
【図５】本発明の実施形態に係るテレビジョン受像機Ｘにおいて実行される消費電力表示処理による表示例を示す図。
【符号の説明】
【００４０】
Ｘ…テレビジョン受像機（映像表示装置の一例）
Ｙ…録画再生装置（電気機器の一例）
Ｚ…録画システム
１，２１…チューナ
２ｘａ，２ｙａ…ＨＤＭＩ受信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
Ｓ１，Ｓ２，〜…処理手順（ステップ）番号
【図１】
2008148140.tif 000003
【図２】
2008148140.tif 000004
【図３】
2008148140.tif 000005
【図４】
2008148140.tif 000006
【図５】
2008148140.tif 000007